(57)【特許請求の範囲】
【請求項１】
枠材を四周に組んだ枠と、枠の内周に保持したＦＩＸ枠体とを備え、四周のうちの少なくとも一の枠材は、内周にＦＩＸ枠体の縁部の一方側見付け面を受ける受け部と、ＦＩＸ枠体の縁部の外周側端に対向する内周側見込み部を有すると共にこの内周側見込み部の外周側に他方側見付け面を有し、この他方側見付け面には一の枠材に係止した状態で外周方向にスライド可能なカバー部材が取付けてあり、カバー部材はＦＩＸ枠体の縁部の他方側見付け面に重なる外れ止め部を有し、カバー部材を外周方向にスライドすることで、外れ止め部がＦＩＸ枠体の縁部の他方側見付け面との重なり位置から外れることを特徴とするパネル体。
【請求項２】
枠材を四周に組んだ枠と、枠の内周に保持したＦＩＸ枠体とを備え、四周のうちの少なくとも一の枠材は、内周にＦＩＸ枠体の縁部の一方側見付け面を受ける受け部と、ＦＩＸ枠体の縁部の外周側端に対向する内周側見込み部を有すると共にこの内周側見込み部の外周側に他方側見付け面を有し、この他方側見付け面には外周方向にスライド可能なカバー部材が取付けてあり、カバー部材はＦＩＸ枠体の縁部の他方側見付け面に重なる外れ止め部と、ＦＩＸ枠体の縁部の外周側見込み面に当接する当接部を有し、カバー部材を外周方向にスライドすることで、外れ止め部がＦＩＸ枠体の縁部の他方側見付け面との重なり位置から外れると共に当接部がＦＩＸ枠体の縁部の外周側見込み面から離れることを特徴とするパネル体。
【請求項３】
枠材を四周に組んだ枠と、枠の内周に保持したＦＩＸ枠体とを備え、四周のうちの少なくとも一の枠材は、内周にＦＩＸ枠体の縁部の一方側見付け面を受ける受け部と、ＦＩＸ枠体の縁部の外周側端に対向する内周側見込み部を有すると共にこの内周側見込み部の外周側に他方側見付け面を有し、この他方側見付け面には見付け面内で外周方向にスライド可能なカバー部材が取付けてあり、カバー部材はＦＩＸ枠体の縁部の他方側見付け面に重なる外れ止め部を有し、カバー部材を外周方向にスライドすることで、外れ止め部がＦＩＸ枠体の縁部の他方側見付け面との重なり位置から外れることを特徴とするパネル体。
【発明の詳細な説明】
【技術分野】
【０００１】
本発明は、袖壁パネル、引戸障子、扉やＦＩＸ窓などのパネル体に関する。
【背景技術】
【０００２】
非特許文献１には、引戸障子（パネル体）の框（枠）の内周に飾り格子体（ＦＩＸ枠体）を設けたことが開示されている。この非特許文献１の技術では、ＦＩＸ枠体は框に固定してあり、取り外しができない。
尚、本発明及び明細書において、「枠」には「框」も含むものとする。
【先行技術文献】
【非特許文献】
【０００３】
【非特許文献１】第１８頁「１ｄａｙ  リフォーム  Ｒｅｃｈｅｎｔ  リシェント  玄関引戸／勝手口ドア」リフォーム商品カタログ  トステム株式会社  ２０１１年８月１日発行
【発明の概要】
【発明が解決しようとする課題】
【０００４】
しかし、ＦＩＸ枠体の清掃等のメンテナンスや他種のＦＩＸ枠体との交換を可能にする為、ＦＩＸ枠体を着脱可能にすることが望まれている。
【０００５】
そこで、本発明は、四周枠の内周にＦＩＸ枠体を脱着可能なパネル体の提供を目的とする。
【課題を解決するための手段】
【０００６】
請求項１に記載の発明は、枠材を四周に組んだ枠と、枠の内周に保持したＦＩＸ枠体とを備え、四周のうちの少なくとも一の枠材は、内周にＦＩＸ枠体の縁部の一方側見付け面を受ける受け部と、ＦＩＸ枠体の縁部の外周側端に対向する内周側見込み部を有すると共にこの内周側見込み部の外周側に他方側見付け面を有し、この他方側見付け面には一の枠材に係止した状態で外周方向にスライド可能なカバー部材が取付けてあり、カバー部材はＦＩＸ枠体の縁部の他方側見付け面に重なる外れ止め部を有し、カバー部材を外周方向にスライドすることで、外れ止め部がＦＩＸ枠体の縁部の他方側見付け面との重なり位置から外れることを特徴とするパネル体である。
請求項２に記載の発明は、枠材を四周に組んだ枠と、枠の内周に保持したＦＩＸ枠体とを備え、四周のうちの少なくとも一の枠材は、内周にＦＩＸ枠体の縁部の一方側見付け面を受ける受け部と、ＦＩＸ枠体の縁部の外周側端に対向する内周側見込み部を有すると共にこの内周側見込み部の外周側に他方側見付け面を有し、この他方側見付け面には外周方向にスライド可能なカバー部材が取付けてあり、カバー部材はＦＩＸ枠体の縁部の他方側見付け面に重なる外れ止め部と、ＦＩＸ枠体の縁部の外周側見込面に当接する当接部を有し、カバー部材を外周方向にスライドすることで、外れ止め部がＦＩＸ枠体の縁部の他方側見付け面との重なり位置から外れると共に当接部がＦＩＸ枠体の縁部の外周側見込面から離れることを特徴とするパネル体である。
請求項３に記載の発明は、枠材を四周に組んだ枠と、枠の内周に保持したＦＩＸ枠体とを備え、四周のうちの少なくとも一の枠材は、内周にＦＩＸ枠体の縁部の一方側見付け面を受ける受け部と、ＦＩＸ枠体の縁部の外周側端に対向する内周側見込み部を有すると共にこの内周側見込み部の外周側に他方側見付け面を有し、この他方側見付け面には見付け面内で外周方向にスライド可能なカバー部材が取付けてあり、カバー部材はＦＩＸ枠体の縁部の他方側見付け面に重なる外れ止め部を有し、カバー部材を外周方向にスライドすることで、外れ止め部がＦＩＸ枠体の縁部の他方側見付け面との重なり位置から外れることを特徴とするパネル体である。
【発明の効果】
【０００７】
請求項１〜３に記載の発明によれば、枠の内周側にＦＩＸ枠体を備えるパネル体において、カバー部材のスライド操作によりＦＩＸ枠体を脱着可能にできる。
パネル体の見付け面からの操作でＦＩＸ枠体を脱着できるから、脱着作業がし易い。
【図面の簡単な説明】
【０００８】
【図１】本発明の実施の形態にかかるパネル体を用いた引戸の横断面図である。
【図２】一方及び他方の引戸障子を開口部を開く位置に寄せた状態において、図１に示すＡ−Ａ位置で切断して示す縦断面図である。
【図３】図１に示すＢ−Ｂ断面図である。
【図４】パネル体を室外側から見た正面図である。
【図５】ＦＩＸ枠体の脱着を説明する図であり、（ａ）はＦＩＸ枠体を脱装する状態の右竪框部分の横断面図であり、（ｂ）はＦＩＸ枠体を固定する状態の右竪框部分の横断面図である。
【発明を実施するための形態】
【０００９】
以下に、添付図面の図１〜図５を参照して本発明の実施の形態を詳細に説明する。本実施の形態に係るパネル体１は玄関引戸３の袖パネルである。玄関引戸３は、外障子５と、内障子７と、パネル体１とを備えており、パネル体１には玄関の開口側にアコーディオン網戸９が設けてられている。外障子５と内障子７とは、図２に示す連動装置１１により、外障子５の開閉に連動して内障子７も同方向に移動するようになっている。
図４に示すように、パネル体１は上框材１７、下框材１９、左竪框材２１、右竪框材２３を四周に組んだ框（枠）１２の内周には、図１に示すように、ガラスパネル１３とガラスパネル１３の室外側にＦＩＸ枠体１５が取付けてある。ＦＩＸ枠体１５は本実施の形態では、格子の四周を枠組した格子枠体である。
【００１０】
図１及び図２に示すように、上框材（上枠材）１７、下框材（下枠材）１９、左竪框材（左竪枠材）２１、右竪框材（右竪枠材）２３には、各々内周にガラスパネル１３の端部を収納するガラスパネル収納溝２５が形成されている。
図２に示すように、上框材１７には、ガラスパネル収納溝２５の室外側にＦＩＸ枠体１５の上縁部１５ａが係合する上係合部２７が形成されている。上係合部２７には、上向きの鉤部２７ａが形成してあり、鉤部２７ａにＦＩＸ枠体１５の上縁部１５ａに形成された下向きの鉤部２９が係合して、ＦＩＸ枠体１５を吊り下げるようにしてある。
下框材１９には、ガラスパネル収納溝２５の室外側にＦＩＸ枠体１５の下縁部１５ｂが係合する下係合部３１が形成されている。下係合部３１は溝であり、ＦＩＸ枠体１５の下縁部１５ｂが入り込んでいる。
図１に示すように、左竪框材（室内側から見て左の竪框材）２１には、ガラスパネル収納溝２５の室外側にＦＩＸ枠体１５の左縁部１５ｃが係合する竪係合部３３が形成されている。竪係合部３３は溝であり、ＦＩＸ枠体の左縁部１５ｃが入り込んでいる。尚、竪係合部３３には溝底にクッション材３５が設けてあり、このクッション材３５にＦＩＸ枠体１５の左縁部１５ｃが当接している。
【００１１】
図１及び図５に示すように、右竪框材（一の枠材）２３には、ガラスパネル収納溝２５の室外側にＦＩＸ枠体１５の右縁部（縁部）１５ｄを配置する配置部３７が設けてある。配置部３７は、ＦＩＸ枠体１５の右縁部１５ｄの室内側（一方側）見付け面を受ける受け部３６と右縁部１５の外周側端に対向する内周側突設部（内周側見込み部）３９を有している。配置部３７の外周側には室外側見付け面（他方側見付け面）４２が設けてある。また、室外側見付け面４２において、内周側突設部３９の外周側には内周側突設部３９と間隔をあけて設けた外周側突設部４１が右竪框材２３の長手方向に設けてある。内周側突設部３９には、その室外側部に外周側に向けて突設した案内部３８が設けてある。内周側突設部３９の室外側端と外周側突設部４１の室外側端にはカバー部材４３が被せてあり、図４に示すように、カバー部材４３はその上下端部をねじ４５により右竪框材２３の室外側見付け面４２に取付けてある。
カバー部材４３の外周側端部４４は断面コ字形状を成し、外周側突設部４１を外周側から覆うと共に先端を外周側突設部４１の下面に係合してある。このカバー部材４３は、ねじ４５を外すことにより、外周方向にスライド可能である。
カバー部材４３は、ＦＩＸ枠体１５の右縁部１５ｄの室外側見付け面（他方側見付け面）に重なる外れ止め部４３ａと、ＦＩＸ枠体１５の右縁部１５ｄの外周側端に当接する当接部材４３ｂが設けられている。
本実施の形態では、カバー部材４３の当接部４３ｂは、ＦＩＸ枠体１５を押圧している。また、当接部４３ｂはカバー部材４３と別体の部材であり、当接部４３ｂには、カバー部材４３の係止部４７が係止してあり、カバー部材４３の移動と共に当接部４３ｂが移動するようになっている。図５（ａ）（ｂ）に示すように、係止部４７は、案内部３８により外周側及び内周側への移動が案内されており、常に係止部４７の室外側に位置して、図５（ａ）に示すようにカバー部材４３が外周側にスライドしてＦＩＸ枠体１５を外す位置にあるときにも係止部４７に係合している。
図４に示すように、当接部４３ｂは右竪框材２３の上側と下側とに各々設けてあり、内周側突設部３９には、当接部４３ｂを配置する切除部５１が形成してあり、当接部４３ｂがパネル体１の外周側と内周側との間を移動自在にしてある。
尚、図４に示すように、カバー部材４３の上端は上框材１７にねじ４５でキャップ４０と共に固定されている。同様にカバー部材４３の下端も下框材１９にねじ４５でキャップ４０と共に固定されている。
【００１２】
図１〜図３に示すように、外障子５及び内障子７には、各々、パネル体１と同様にガラスパネルの外側にＦＩＸ枠体１５が取付けられている。図２に示すように、外障子５及び内障子７において、上框材１７には各々、上向きの鉤部２７ａが形成してあり、ＦＩＸ枠体１５の上縁部１５ａに形成された下向きの鉤部２９が係合して、ＦＩＸ枠体１５を吊り下げてある。下框材１９には、溝状の下係合部３１が形成してあり、下係合部３１内にＦＩＸ枠体１５の下縁部１５ｂが入り込んでいる。
図１に示すように、外障子５の戸尻側竪框（右側竪框材）２３には内周側が開口した溝状の竪係合部３３が形成してあり、ＦＩＸ枠体の右竪縁部１５ｄを溝内に入り込ませてあり、戸先側竪框（左側竪框材）２１には内周側が開口した溝状の竪係合部３３が形成してあり、ＦＩＸ枠体の戸先側縁部（左縁部）１５ｃを入り込ませている。
外障子５では、戸先側竪框（左側竪框）２１の戸先側端から挿入したねじ５５で外障子５のＦＩＸ枠体１５を固定している。一方、内障子７は戸尻側竪框（右側竪框）２３の戸尻端から挿入したねじ５７でＦＩＸ枠体１５を固定している。外障子５はねじ５５を外すことによりＦＩＸ枠体１５が脱着可能であり、内障子は、ねじ５７を外すことによりＦＩＸ枠体１５が脱着可能になっている。
【００１３】
次に、本実施の形態にかかる玄関引戸３において、パネル体１のＦＩＸ枠体１５の取外し及び取付け、その作用効果について、説明する。
例えば、ＦＩＸ枠体１５の清掃等のメンテナンスの為に、パネル体１からＦＩＸ枠体１５を外すときには、カバー部材４３を止めてある上下の各ねじ４５を外して、図５（ａ）に示すように、カバー部材４３を外周側にスライド操作する。これにより、外れ止め部４３ａが外周側に移動してＦＩＸ枠体１５の右縁部１５ｄの室外側見付け面との重なり位置から外れると共に、当接部４３ｂが外周側に移動してＦＩＸ枠体１５との当接を解除する。その後、ＦＩＸ枠体１５を右側に寄せて左縁部１５ｃを竪係合部３３から外した後、図２に示すように、ＦＩＸ枠体１５を上に持ち上げて上框材１７の上係合２７からＦＩＸ枠体１５の上縁部１５ａを外すことにより、ＦＩＸ枠体１５をパネル体１から外す。
【００１４】
図２に示すように、ＦＩＸ枠体１５の装着は、ＦＩＸ枠体１５の上縁部１５ａを上框材１７の上係合２７に上からかけて、下縁部１５ｂを下框材１９の下係合部３１の溝内に挿入して、図１に示すように、左竪框材２１の竪係合３３にクッション材３５にＦＩＸ枠体１５の左縁部１５ｃを押しあてる。その後、カバー部材４３を内周側にスライドして、図５（ｂ）に示すように、外れ止め部４３ａをＦＩＸ枠体１５の右縁部１５ｄの見付け面に重ねると共に当接部４３ｂを内周側に押し付けてねじ４５を締め付けてカバー部材４３を右竪框２３に固定する。
【００１５】
本実施の形態によれば、パネル体１のＦＩＸ枠体１５は、カバー部材４３のスライド操作により脱着ができる。したがって、ＦＩＸ枠体１５の清掃等のメンテナンスや他種のＦＩＸ枠体１５との交換が容易である。
パネル体１の見付け面からの操作でＦＩＸ枠体１５を脱着できるから、脱着作業がし易い。
【００１６】
カバー部材４３は、ＦＩＸ枠体１５の右縁部１５ｄの外周側見込み面に当接する当接部４３ｂを備えているので、ＦＩＸ枠体１５を框１２内に取付けたときにＦＩＸ枠体１５のがたつきを防止できる。
右竪框材２３の内周側突設部３９には、カバー部材４３の係止部４７の移動を案内する案内部３８を設けてあり、案内部３８はカバー部材４３がＦＩＸ枠体１５を外す位置にあるときにも係止部４７に係合しているので、カバー部材４３をスライド操作したときにカバー部材４３の外れを防止できる。
尚、外障子３におけるＦＩＸ枠体１５の脱着は、戸先側見込み面から操作するねじ５５により行うことができる。内障子５におけるＦＩＸ枠体１５の脱着は、戸尻側見込み面から操作するねじ５７により行うことができる。
【００１７】
本発明は、上述した実施の形態に限らず、本発明の要旨を逸脱しない範囲で種々変形可能である。
例えば、当接部４３ｂは、カバー部材４３と一体に設けても良い。
当接部４３ｂは、ＦＩＸ枠体１５を押圧することなく、当接するだけであっても良い。
カバー部材４３は、右竪框材２３に設けることに限らず、上框材１７、下框材１９又は左框材２１のいずれかに設け、カバー部材４３を設けた框材１７、１９、２１には、係合部２７、３１、３３を設けないようにしても良い。
更に、カバー部材４３は、左竪框材２１と右竪框材２３との２つの框材に設けたり、上框材１７と下框材１９との２つの框材に設けたり、四周の框材１７、１９、２１、２３のうちの任意の３つの框材に設けたり、四周の框材１７、１９、２１、２３の全てに設けてもよい。２つ以上の框材にカバー部材４３を設ける場合には、残りの框材に係合部３３を設けなくても良い。
パネル体１は、建物の躯体開口部に取付けるＦＩＸ窓であってよい。この場合、上下左右の框材１７、１９、２１、２３はＦＩＸ窓の枠材である。また、パネル体１はドアの扉であってもよい。
ＦＩＸ枠体１５は飾り格子の四周を枠組した枠体に限らず、ガラスやパネルであってもよい。
クッション材３５は無くても良い。
【符号の説明】
【００１８】
１    パネル体
１２  框（枠）
１５  ＦＩＸ枠体
１５ｄ  右縁部（縁部）
１７    上框材
１９    下框材
２１    左竪框材
２３    右竪框材（一の枠材）
３６    受け部
３９    内周側突設部（内周側見込み部）
４２    室外側見付け面（他方側見付け面）
４３    カバー部材
４３ａ  外れ止め部
【図１】
0005886635.tif 000002
【図２】
0005886635.tif 000003
【図３】
0005886635.tif 000004
【図４】
0005886635.tif 000005
【図５】
0005886635.tif 000006